(57)【要約】【課題】  レンタルショップにおける展示用ケースにも利用可能なコンパクトな収納ケースを提供することを提供すること。【解決手段】  保持部５は、頭部の中央を強く押圧されることにより大きく沈んで背部２の開口部４内に小嵩に格納されるように設けられ、円盤状記録媒体を本体１から取り出して保持部を格納すると共に扉２１を閉じた状態において、その記録媒体を格納するレンタル用ケースＲＣを上面開口２３から本体内に挿入したとき、そのレンタル用ケースの底部が保持部５の上面を通過してストッパー部３０に当接することにより同ケースの上部を上面開口２３から所定高さまで露出させるように設け、そのレンタル用ケースＲＣの上部を露出させた状態にてレンタルショップにおける展示に利用可能に構成した。【選択図】  図９
2004359351.tif 000002
【特許請求の範囲】
【請求項１】
コンパクトディスク等の円盤状記録媒体を箱型形状の本体の正面側と上面側から出し入れできるように正面の扉と上面の蓋体を夫々開閉自由に設けると共に、円盤状記録媒体を着脱自由とする保持部を該本体の背部に設け、さらに、前記扉若しくは本体の少なくとも何れか一方の内方にストッパー部を設けた円盤状記録媒体の収納ケースであって、
前記保持部は、頭部の中央を強く押圧されることにより大きく沈んで前記背部の開口部内に小嵩に格納されるように設けられ、円盤状記録媒体を前記本体から取り出して保持部を格納すると共に前記扉を閉じた状態において、その記録媒体を格納する箱型形状のレンタル用ケースを上面開口から本体内に挿入したとき、そのレンタル用ケースの底部が前記保持部の上面を通過して前記ストッパー部に当接することにより同ケースの上部を前記上面開口から所定高さまで露出させるように設け、そのレンタル用ケースの上部を露出させた状態にてレンタルショップにおける展示に利用可能に構成したことを特徴とする円盤状記録媒体の収納ケース。
【請求項２】
前記保持部は、弾性変形により半径方向に伸縮可能とされた中央の頭部と、その頭部の仮想中心を中心として等角度で放射方向に延びる仮想線を挟むように夫々配置された左右一対の脚片とからなり、各脚片についてはその仮想線と直交する線上に配置された第１ヒンジにより一端を前記背部に連接されると共に、他端の薄肉に形成された第２ヒンジにより円盤状記録媒体の固定用穴を係止させるための係合溝が形成された前記頭部の周縁下方に夫々連接され、さらに、当該脚片に、円盤状記録媒体の固定用穴の周縁部下面に対応する突き上げ部を一体に形成してなり、円盤状記録媒体の固定用穴を前記保持部の頭部に合わせて押圧することにより同記録媒体が固定され、他方、円盤状記録媒体が固定された保持部の頭部を軽く小さいストロークにて押圧することにより、頭部を縮径させつつ沈ませると同時に、前記突き上げ部にて円盤状記録媒体の周縁部の下降を抑制して同記録媒体の固定状態が解放され、保持部の頭部を強く大きいストロークにて押圧することにより、頭部がさらに沈んで前記背部の開口部内に小嵩に格納されるように設けたことを特徴とする請求項１に記載の円盤状記録媒体の収納ケース。
【請求項３】
前記保持部は、その中央の押圧部と、その押圧部の仮想中心を中心として等角度で放射方向に延びる仮想線を挟むように夫々配置された左右一対の脚片とからなり、各脚片についてはその仮想線と直交する線上に配置された第１ヒンジにより一端を前記背部に連接されると共に、他端の薄肉に形成された第２ヒンジにより前記押圧部の前記仮想線と同じ方向に弾性変形可能な側壁片に夫々連接され、さらに、当該脚片に、円盤状記録媒体の固定用穴を係止させるための係合溝が形成された環形片を前記押圧部の周囲に夫々配設すると共にその固定用穴の周縁部下面に対応する突き上げ部を一体に形成してなり、円盤状記録媒体の固定用穴を該環形片に合わせて押圧することにより同記録媒体が固定され、他方、円盤状記録媒体が固定された保持部の押圧部を軽く小さいストロークにて押圧することにより、環形片を仮想中心側に変位させつつ沈ませると同時に、前記突き上げ部にて円盤状記録媒体の周縁部の下降を抑制して同記録媒体の固定状態が解放され、保持部の押圧部を強く大きいストロークにて押圧することにより、押圧部及び環形片がさらに沈んで前記背部の開口部内に小嵩に格納されるように設けたことを特徴とする請求項１に記載の円盤状記録媒体の収納ケース。
【請求項４】
前記ストッパー部は、前記扉若しくは本体の少なくとも何れか一方の下部に、弾性変形可能な飛び出し片を薄肉に形成したヒンジを介して一体に設け、その飛び出し片を扉若しくは本体の外方又は内方から押すことにより出没自由に構成されていることを特徴とする請求項１から請求項３の何れかに記載の円盤状記録媒体の収納ケース。
【発明の詳細な説明】
【技術分野】
【０００１】
本発明は、音楽や映像を記録したコンパクトディスク（ＣＤ）、デジタル バーサタイル ディスク（ＤＶＤ）等の円盤状記録媒体を収納するためのケースに関する。
【背景技術】
【０００２】
従来の円盤状記録媒体の販売専用収納ケースとして、例えば、図１３に示す合成樹脂製収納ケースａは、長方形のケース本体ｂと扉ｃとが一体成形され、そのケース本体ｂに円盤状記録媒体の固定用穴を嵌合させるための保持部ｄと同記録媒体の外周縁部を支持する円弧状突部ｈとが形成されている。その保持部ｄは、円盤状記録媒体の固定用穴の周縁部を載せるための座部ｅの上に頭部ｆを形成し、その頭部ｆの上面及び周縁下方から座部ｅに至る複数の渦形溝ｇを放射状に穿設することにより頭部ｆを半径方向に伸縮可能に設けている。
【０００３】
レンタルショップにおいては、仕入れた円盤状記録媒体を収納ケースから取り出してカウンター内の保管棚に収め、空の状態の収納ケースのみを棚に並べて陳列に供することが行われている。そして、その記録媒体を顧客に貸し出したときには、例えば、「レンタル中」と記された札を取り付けた収納ケースを再び陳列することによりそれがレンタル中か否かを表している。他方、収納ケースから取り出した円盤状記録媒体を別に用意した展示兼用レンタルケースに入れ替え、これを、例えば特公平７−４１９４１号公報で開示されているような展示専用ケースに入れて陳列に供することも行われている。
【０００４】
また、省資源、経済性等を鑑みて、販売用と展示用を兼ねた新しい形式のコンパクトな収納ケースが開発される傾向にある。この種の収納ケースとして、図１４に示す合成樹脂製収納ケースｉは、円盤状記録媒体を箱型形状の本体ｊの正面側と上面側から出し入れできるように正面の扉ｋと上面の蓋体ｌを夫々開閉自由に設けると共に、円盤状記録媒体を着脱自由とする保持部ｎを本体ｊの背部に設け、扉ｋの内面下部にストッパーｓを設けたものがある。その保持部ｎは、円盤状記録媒体の固定用穴を嵌める円弧形立上片ｏを等角度間隔で４カ所に配置し、中央の円形部ｐとそれら円弧形立上片ｏとを直線的に連結した形態とされている。その円形部ｐの高さは、本体ｊの内面から約２ｍｍである。しかして、この収納ケースｉは、図１５に示すように、円盤状記録媒体を本体ｊから取り出して扉ｋを閉じた状態において、記録媒体を格納する別の公知のレンタル用ケースｕを上面開口ｍから本体内に挿入したとき、そのレンタル用ケースｕの底部ｖが保持部ｎの上面を通過してストッパーｓに当接することにより、同ケースの上部を上面開口ｍから所定高さまで露出させるように設けられ、その状態にて展示に利用することができる構造とされている。
【０００５】
上記した従来の前者収納ケースａにおいては、保持部ｄの頭部ｆを押すことにより、頭部ｆが縮みつつ沈んで円盤状記録媒体の固定用穴との係合状態を解放するように構成されている。ところが、その頭部ｆの中央から少し外れた位置を押した場合には、保持部ｄの弾性変形作用に円滑さを欠いて円盤状記録媒体が頭部ｆから外れにくいということがある。
【０００６】
また、レンタルショップにおいて展示兼用レンタルケースに入れ替えた円盤状記録媒体を展示用ケースに入れて陳列に供する場合には、その展示用ケースをわざわざ購入しなければならず、元の収納ケースが不要となりゴミとして廃棄処分をしなければならない。
後者の収納ケースｉについては、円形部ｐを指で押したときに保持部ｎの半径方向の変形収縮量が非常に少ないことから、円盤状記録媒体の固定用穴が円弧形立上片ｏの突部に引っ掛かって簡単に外れなく、実用性に甚だ欠けるものであった。
【特許文献１】特開２００１−１３０６７４号公報
【発明の開示】
【発明が解決しようとする課題】
【０００７】
この発明の目的は、レンタルショップにおける展示用ケースにも利用可能なコンパクトな収納ケースを提供することにある。
【課題を解決するための手段】
【０００８】
前記目的を達成するために請求項１に記載の発明は、コンパクトディスク等の円盤状記録媒体を箱型形状の本体の正面側と上面側から出し入れできるように正面の扉と上面の蓋体を夫々開閉自由に設けると共に、円盤状記録媒体を着脱自由とする保持部を該本体の背部に設け、さらに、前記扉若しくは本体の少なくとも何れか一方の内方にストッパー部を設けた円盤状記録媒体の収納ケースであって、
前記保持部は、頭部の中央を強く押圧されることにより大きく沈んで前記背部の開口部内に小嵩に格納されるように設けられ、円盤状記録媒体を前記本体から取り出して保持部を格納すると共に前記扉を閉じた状態において、その記録媒体を格納する箱型形状のレンタル用ケースを上面開口から本体内に挿入したとき、そのレンタル用ケースの底部が前記保持部の上面を通過して前記ストッパー部に当接することにより同ケースの上部を前記上面開口から所定高さまで露出させるように設け、そのレンタル用ケースの上部を露出させた状態にてレンタルショップにおける展示に利用可能に構成したことを特徴とする。
【０００９】
同様の目的を達成するために請求項２に記載の発明は、請求項１に記載の円盤状記録媒体の収納ケースにおいて、前記保持部は、弾性変形により半径方向に伸縮可能とされた中央の頭部と、その頭部の仮想中心を中心として等角度で放射方向に延びる仮想線を挟むように夫々配置された左右一対の脚片とからなり、各脚片についてはその仮想線と直交する線上に配置された第１ヒンジにより一端を前記背部に連接されると共に、他端の薄肉に形成された第２ヒンジにより円盤状記録媒体の固定用穴を係止させるための係合溝が形成された前記頭部の周縁下方に夫々連接され、さらに、当該脚片に、円盤状記録媒体の固定用穴の周縁部下面に対応する突き上げ部を一体に形成してなり、円盤状記録媒体の固定用穴を前記保持部の頭部に合わせて押圧することにより同記録媒体が固定され、他方、円盤状記録媒体が固定された保持部の頭部を軽く小さいストロークにて押圧することにより、頭部を縮径させつつ沈ませると同時に、前記突き上げ部にて円盤状記録媒体の周縁部の下降を抑制して同記録媒体の固定状態が解放され、保持部の頭部を強く大きいストロークにて押圧することにより、頭部がさらに沈んで前記背部の開口部内に小嵩に格納されるように設けたことを特徴とする。
【００１０】
同様の目的を達成するために請求項３に記載の発明は、請求項１に記載の円盤状記録媒体の収納ケースにおいて、前記保持部は、その中央の押圧部と、その頭部の仮想中心を中心として等角度で放射方向に延びる仮想線を挟むように夫々配置された左右一対の脚片とからなり、各脚片についてはその仮想線と直交する線上に配置された第１ヒンジにより一端を前記背部に連接されると共に、他端の薄肉に形成された第２ヒンジにより前記押圧部の前記仮想線と同じ方向に弾性変形可能な側壁片に夫々連接され、さらに、当該脚片に、円盤状記録媒体の固定用穴を係止させるための係合溝が形成された環形片を前記押圧部の周囲に夫々配設すると共にその固定用穴の周縁部下面に対応する突き上げ部を一体に形成してなり、円盤状記録媒体の固定用穴を該環形片に合わせて押圧することにより同記録媒体が固定され、他方、円盤状記録媒体が固定された保持部の押圧部を軽く小さいストロークにて押圧することにより、環形片を仮想中心側に変位させつつ沈ませると同時に、前記突き上げ部にて円盤状記録媒体の周縁部の下降を抑制して同記録媒体の固定状態が解放され、保持部の押圧部を強く大きいストロークにて押圧することにより、押圧部及び環形片がさらに沈んで前記背部の開口部内に小嵩に格納されるように設けたことを特徴とする。
【００１１】
同様の目的を達成するために請求項４に記載の発明は、請求項１から請求項３の何れかに記載の円盤状記録媒体の収納ケースにおいて、前記ストッパー部は、前記扉若しくは本体の少なくとも何れか一方の下部に、弾性変形可能な飛び出し片を薄肉に形成したヒンジを介して一体に設け、その飛び出し片を扉若しくは本体の外方又は内方から押すことにより出没自由に構成されていることを特徴とするものである。
【発明の効果】
【００１２】
（請求項１の発明）
この収納ケースをレンタルショップにおける展示用ケースとして利用する場合には、円盤状記録媒体を本体から取り出して別のレンタル用ケースに入れ替える。そして、収納ケースの保持部を押し込んで開口部内に格納すると共に、蓋体を起立させて本体の上面を開放し扉を閉じた状態にする。その状態において、レンタル用ケースを上面開口から本体に挿入すると、レンタル用ケースの底部が保持部の頭部上面を通過してストッパー部に当接し、同ケースの上部が上面開口から所定高さまで露出した展示態様となる。
【００１３】
（請求項２の発明）
収納ケースに円盤状記録媒体を着脱する場合における作用について述べるに、円盤状記録媒体の固定用穴を保持部の頭部に合わせて押圧すると、頭部は弾性変形により縮径しつつ少し沈んでその固定用穴を通過させ、これとほぼ同時に、弾力作用によって元の拡径した状態に戻る。しかして、頭部の係合溝に固定用穴が係止されて円盤状記録媒体は固定される。
【００１４】
また、円盤状記録媒体が固定された保持部の頭部を指で押圧すると、頭部は弾性変形による縮径と第１ヒンジを支点とする傾動作用により沈んで、同記録媒体の固定用穴をくぐる。その押圧動作を止めると、頭部は自身の弾力作用によって元の位置に戻り、固定用穴が係合溝から外れる。
【００１５】
また、保持部については、頭部を強く大きいストロークにて押圧すると、脚片は第２ヒンジが開口部に進入するまで第１ヒンジを支点として回転し、頭部が円盤状記録媒体の固定を解いた位置からさらに沈んで開口部内に小嵩に格納される。
【００１６】
この収納ケースは、保持部を不使用時に格納することができるのでレンタル用ケースを収めても収納ケースの厚さは余り大きくならず、レンタル用ケースが奥深く挿入される構造であるため展示態様における形態についてもコンパクトになり、陳列時の省スペース化を図ることができる。
【００１７】
（請求項３の発明）
上記請求項２の発明の作用及び効果に準ずるので、説明を省く。
【００１８】
（請求項４の発明）
ストッパー部の飛び出し片は、扉若しくは本体の外方から押すことによりヒンジ部分で屈曲して内方に突出し、レンタル用ケースが本体に挿入されたときに同ケースの底部を当接させて支持するように機能する。その飛び出し片は、扉若しくは本体の内方から押すことにより元の引っ込んだ状態に戻る。
このストッパー部は簡易な構成であり、扉若しくは本体と一体成形することができることから、多量生産に適する。
【発明を実施するための最良の形態】
【００１９】
以下に、本発明の実施の形態例を図面に基づいて説明する。図１から図９は第１の実施の形態例、図１０から図１２は第２の実施の形態例にかかるものである。図１は収納ケースの扉を開いた状態を示す正面図、図２は収納ケースの扉を閉じた状態の縦断側面図、図３は保持部の正面図、図４は図３の要部の断面図、図５は図４に示す保持部が押し込まれて格納された状態を示す説明図、図６は蓋体の開いた状態を示す拡大断面図、図７は蓋体の閉じた状態を示す拡大断面図、図８は図１のＡ−Ａ線拡大断面図、図９は収納ケースにレンタル用ケースがセットされた展示態様を示す縦断側面図、図１０は保持部の正面図、図１１は図１０の要部の断面図、図１２は図１１に示す保持部が押し込まれて格納された状態を示す説明図である。
【００２０】
図１に示す第１の実施の形態例である円盤状記録媒体の収納ケースＣは、箱型形状の本体１と扉２１及び上面の蓋体２５とを合成樹脂材料により一体成形されている。
その本体１には、長方形の背部２の中央下方にコンパクトディスク等の円盤状記録媒体ｘの固定用穴ｙを嵌着させるための保持部５を設け、その背部２に右側片２ａと底片２ｂとが一体に形成されている。３は円盤状記録媒体ｘの外周縁部を支持するための円弧状突部であり、背部２に一体に形成されている。
【００２１】
その保持部５については、図３及び図４に示すように、本体１の背部２の中央に配置された円形座部２ｃに形成された開口部４に、円形状頭部１０の仮想中心（イ）を中心として等角度、この例では１２０°間隔で放射方向に延びる仮想線（ロ）を挟むように左右一対の脚片７、７を夫々配置している。各脚片７については、その仮想線（ロ）と直交する線（ハ）上に配置された第１ヒンジ６により一端７ａを前記開口部４の内端に連接されると共に、その他端７ｂに第１ヒンジ６の向きと同一方向で薄肉に形成された第２ヒンジ８により頭部１０の周縁１０ａの下方に夫々一体状に連接することにより設けられている。９は左右一対の脚片７、７の対向する側面７ｃ、７ｃに差し渡すように一体に形成された突き上げ部であって、これらの突き上げ部９は、円盤状記録媒体ｘの固定用穴ｙの周縁部下面に対応するように設けられている（図４）。
【００２２】
また、頭部１０は、中央のほぼ三角形の押圧部１１の各辺に沿うように深く形成された凹溝１２を介して環形片１３を配置すると共に、該押圧部１１の裏面に窪み１４を適宜形成することにより半径方向に伸縮可能に設けられている。１５は円盤状記録媒体ｘの固定用穴ｙを係止するために頭部１０の周囲に設けられた係合溝である。
【００２３】
上記本体１の左側縁には薄肉に形成したヒンジ１８により側片１９の一側縁を連接し、該側片１９の他側縁には同様のヒンジ２０により正面の扉２１を一体状に連接して同扉２１を開閉可能に設ける。この扉２１は、上方を開放し右側片２１ａと底片２１ｂが一体に形成されている。
【００２４】
２５は前記背部２の上縁部に薄肉に形成された主ヒンジ２４により一体状に連接された蓋体であって、前記背部２、右側片２ａ、側片１９と扉２１により四方を囲まれて形成される上面開口２３を開閉するためのものである。図１、図６に示すように、蓋体２５の中央と両端部に設けられた主ヒンジ２４は、背部２の裏側から断面Ｖ字形の溝２４ａが形成され、その溝２４ａの頂部が蓋体２５を開閉するときの支点２６となる。上記主ヒンジ２４を設けない部分である蓋体２５と背部２には、開き角度の和がほぼ９０゜となる断面Ｖ字形の溝２７ａ、２８ａを夫々穿設して薄肉に形成した副ヒンジ２７、２８を形成する。２９はそれら副ヒンジ２７、２８間を平行に切り込んで周囲と切り離すことにより設けられた連結片である。
【００２５】
しかして、その蓋体２５を開閉するときには、主ヒンジ２４の支点２６から蓋体側の副ヒンジ２７までの長さ寸法ｍと、副ヒンジ２７、２８間（連結片２９）の長さ寸法ｎとの差異による歪みが連結片２９の弾性変形及び副ヒンジ部分の伸縮作用により吸収される。これにより、蓋体２５の回転に連係して連結片２９を移動させて、蓋体２５が図６に示す開いた状態又は図７に示す閉じられた状態に確実に保持されるように構成している。
【００２６】
３０は扉２１の中央下部に配置されたストッパー部である。このストッパー部３０は、中央に断面Ｖ字形の溝３１ａが穿設された飛び出し片３１をその両端に薄肉に形成したヒンジ３２、３２を介して扉２１に連接すると共に、それらのヒンジ３２、３２間を平行に切り込んで周囲と切り離し、図８の鎖線で示す飛び出し片３１を飛び出させた状態にて一体成形されている。
【００２７】
しかして、このストッパー部３０は、飛び出し片３１を本体１の背部２の外方又は内方から押すことにより飛び出し片３１の屈曲変形及びヒンジ３２、３２の伸縮作用より出没自由に設けられている。
【００２８】
次に、上記構成になる収納ケースＣの作動、取り扱い方について説明する。
（１）円盤状記録媒体ｘの固定用穴ｙを保持部５の頭部１０に合わせて押圧部１１を押圧すると、頭部１０は弾性変形により縮径しつつ少し沈んでその固定用穴ｙを通過させる。これとほぼ同時に、頭部１０が弾力作用によって元の拡径した状態に戻るため、円盤状記録媒体ｘは係合溝１５に固定用穴ｙを係止される。
（２）円盤状記録媒体ｘが固定された頭部１０の押圧部１１を指で押圧すると、頭部１０が、弾性変形による縮径と、脚片７の第１ヒンジ６・第２ヒンジ８の弾性変形及び第１ヒンジ６を支点とする傾動作用により沈んで、同記録媒体の固定用穴ｙをくぐる。その押圧を止めると、頭部１０は自身及び脚片７部分の弾力作用によって元の位置に戻る。円盤状記録媒体ｘの中央部分は頭部１０と一緒に少し下降するが、固定用穴ｙの周縁部の下面が突き上げ部９に当接して下降が抑制されるため、頭部１０のみがさらに下降して固定用穴ｙから外れて固定状態を解放する。
（３）また、頭部１０の押圧部１１を強く大きいストロークにて押圧すると、脚片７は第１ヒンジ６を支点として約６１°の角度まで回転し、その当接部７ｄが開口部４の内面に当接してその位置に保持される。その結果、図５に示すように、頭部１０は、円盤状記録媒体ｘの固定を解いた位置からさらに沈んで開口部４に小嵩に格納される。
【００２９】
さらに、収納ケースＣをレンタルショップにおける展示用ケースとして利用する場合の手順について述べる。
（１）まず、円盤状記録媒体ｘを収納ケースＣから取り出して別のレンタル用ケースＲＣに入れ替える。
（２）次に、収納ケースＣの保持部５を押し込んで開口部４に格納し、ストッパー部３０の飛び出し片３１を飛び出させ、蓋体２５を起立させて本体１の上面を開放し、扉２１を閉じた状態とする。
（３）（２）の状態において、レンタル用ケースＲＣを上面開口２３から本体１内に挿入すると、レンタル用ケースＲＣの底部は保持部５の上面を通過して飛び出し片３１の上端３１ｂに当接し、同ケースＲＣの上部が上面開口２３から所定高さまで露出した図９に示すレンタルショツプにおける展示態様となる。
【００３０】
次に、第２の実施の形態例である円盤状記録媒体の収納ケースＥについて述べる。
この収納ケースＥにおいて、円盤状記録媒体ｘを着脱自由とする保持部１０５以外の構成については、前記第１の実施の形態例である収納ケースＣと全く同じであることから、保持部１０５の構成についてのみ詳しく説明する。
【００３１】
図１０に示すように、箱型形状の本体の背部１０２の中央に配置された保持部１０５は、円形座部１０２ｃに形成した開口部１０４の中央に、ほぼ三角形の押圧部１１０の仮想中心（イ）を中心として等角度、この例では１２０°間隔で放射方向に延びる仮想線（ロ）を挟むように左右一対の脚片１０７、１０７を３カ所に配置している。図１１に示すように、各脚片１０７については、その仮想線（ロ）と直交する線（ハ）上に配置された第１ヒンジ１０６により一端１０７ａを前記開口部１０４の内端に連接されると共に、その他端１０７ｂの第１ヒンジ１０６の向きと同一方向で薄肉に形成された第２ヒンジ１０８によって前記押圧部１１０の前記仮想線（ロ）と同じ方向に弾性変形可能に形成された側壁片１１１の下端１１１ａに夫々連接されている。
【００３２】
１１３は円盤状記録媒体ｘの固定用穴ｙを係止させるための係合溝１１５が形成された環形片であり、その環形片１１３は、第２ヒンジ１０８から外方に形成された凹溝１１２を介して一対の脚片１０７、１０７に夫々配設されている。１０９は左右一対の脚片１０７、１０７の後部に差し渡すように一体に形成された突き上げ部であって、これらの突き上げ部１０９は、円盤状記録媒体ｘの固定用穴ｙの周縁部下面に対応するように設けられている。１１４は押圧部１１０の裏面に形成された窪みである。
【００３３】
しかして、この保持部１０５については、押圧部１１０を指で押圧したときに、環形片１１３が側壁片１１１の弾性変形により仮想中心（イ）側に変位しつつ第１ヒンジ１０６を支点とする傾動作用により沈んで円盤状記録媒体ｘの固定用穴ｙをくぐり、その押圧を止めたときに、環形片１１３が側壁片１１１の弾力作用によって元の位置に戻るように構成される。
【００３４】
さらに、押圧部１１０を強く大きいストロークにて押圧したときには、大きく傾動した脚片１０７の当接部１０７ｄが開口部１０４の内面に当接してその位置に保持され、図１２に示すように、押圧部１１０及び環形片１１３が、円盤状記録媒体ｘの固定を解いた位置からさらに沈んで開口部１０４に小嵩に格納されるように設けられている。
【００３５】
１４０は押圧部１１０の窪み１１４に取り付けたロック部材である（図１１）。このロック部材１４０を用いることにより、円盤状記録媒体ｘを収めた収納ケースをメーカーから出荷する際に保持部１０５が何らかの外力により動いて円盤状記録媒体ｘが係合溝１１５から外れるとか、レンタルショップにおける展示時等において格納された保持部１０５が何らかの外力により動いて元の飛び出した状態に戻ってしまうという事態を防止することができる。
【００３６】
なお、前記押圧部１１０の側壁片１１１は薄い平板形であるが、これを例えば、Ｕ字形としてその上部に第２ヒンジを設ける構成とすることも可能である。また、押圧部１１０と背部１０２のと間には脚片１０７を一つずつ設けているが、開口部１０４の内面側にもう一つ脚片を形成してヒンジ部分を３又は４カ所とし、二つの脚片を「く」の字形に変形させて押圧部及び環形片を開口部に格納する構成にすることもできる。
【００３７】
上記した第２の実施の形態例における収納ケースＥの取り扱い方、レンタルショップにおける展示用ケースとして利用する場合の手順については、上述した第１の実施の形態例である円盤状記録媒体の収納ケースＣに準じて行う。
【００３８】
以上の通り、これらの円盤状記録媒体の収納ケースは、保持部を不使用時に格納することができることから、レンタル用ケースを収めた展示態様における形態についてもコンパクトであり、陳列時の省スペース化を図ることができる。
【図面の簡単な説明】
【００３９】
図１から図９は第１の実施の形態例にかかる収納ケース、図１０から図１２は第２の実施の形態例にかかる収納ケースである。
【図１】収納ケースの扉を開いた状態を示す正面図
【図２】収納ケースの扉を閉じた状態の縦断側面図
【図３】保持部の正面図
【図４】図３の要部の断面図
【図５】図４に示す保持部が押し込まれて格納された状態を示す説明図
【図６】蓋体の開いた状態を示す拡大断面図
【図７】蓋体の閉じた状態を示す拡大断面図
【図８】図１のＡ−Ａ線拡大断面図
【図９】収納ケースにレンタル用ケースがセットされた展示態様を示す縦断側面図
【図１０】保持部の正面図
【図１１】図１０の要部の断面図
【図１２】図１１に示す保持部が押し込まれて格納された状態を示す説明図
【図１３】従来の販売専用収納ケース
【図１４】従来の収納ケース
【図１５】従来の収納ケースにレンタル用ケースがセットされた展示態様を示す縦断側面図
【符号の説明】
【００４０】
ｘ→円盤状記録媒体  ｙ→固定用穴
Ｃ→円盤状記録媒体の収納ケース（第１の実施の形態例）
Ｅ→円盤状記録媒体の収納ケース（第２の実施の形態例）
１→本体
２、１０２→背部
４、１０４→開口部
５、１０５→保持部
（イ）→仮想中心  （ロ）→仮想線  （ハ）→線
６、１０６→第１ヒンジ
７、１０７→脚片
８、１０８→第２ヒンジ
９、１０９→突き上げ部
１０→頭部
１０ａ→周縁
１１→押圧部（第１の実施の形態例）
１１０→押圧部（第２の実施の形態例）
１１１→側壁片
１２、１１２→凹溝
１３、１１３→環形片
１４、１１４→窪み
１５、１１５→係合溝
２１→扉
２５→蓋体
３０→ストッパー部
３１→飛び出し片  ３２→ヒンジ
【図１】
2004359351.tif 000003
【図２】
2004359351.tif 000004
【図３】
2004359351.tif 000005
【図４】
2004359351.tif 000006
【図５】
2004359351.tif 000007
【図６】
2004359351.tif 000008
【図７】
2004359351.tif 000009
【図８】
2004359351.tif 000010
【図９】
2004359351.tif 000011
【図１０】
2004359351.tif 000012
【図１１】
2004359351.tif 000013
【図１２】
2004359351.tif 000014
【図１３】
2004359351.tif 000015
【図１４】
2004359351.tif 000016
【図１５】
2004359351.tif 000017